【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
複数の第１無線通信装置が所定割当リソース情報に基づく共通チャネルを通して第２無線通信装置へデータ送信を行うシステムの共通チャネルリソース割当方法であって、
前記第２無線通信装置は、前記複数の第１無線通信装置の少なくとも１つへ個別に送信される個別割当リソース情報を含む少なくとも１つの割当リソース情報を送信することができ、
前記第１無線通信装置は、前記個別割当リソース情報を受信しなかったとき、前記第２無線通信装置に対してプリアンブルを再送する、ことを特徴とする共通チャネルリソース割当方法。
【請求項２】
前記少なくとも１つの割当リソース情報は、前記複数の第１無線通信装置へ送信される共通割当リソース情報を含み、前記第２無線通信装置は前記複数の第１無線通信装置の少なくとも１つへ前記共通割当リソース情報の使用を指示することを特徴とする請求項１に記載の共通チャネルリソース割当方法。
【請求項３】
前記第２無線通信装置は前記個別割当リソース情報を１つの第１無線通信装置へ送信し、当該第１無線通信装置からのデータを完全受信できなかったならば、別の個別割当リソース情報を当該第１無線通信装置へ送信することを特徴とする請求項１または２に記載の共通チャネルリソース割当方法。
【請求項４】
前記第２無線通信装置は、所定時間内で２以上の第１無線通信装置から同一の所定割当リソースでのデータ送信要求があると、前記２以上の第１無線通信装置のうち少なくとも１つの第１無線通信装置に対して前記個別割当リソース情報を送信することを特徴とする請求項１または２に記載の共通チャネルリソース割当方法。
【請求項５】
前記個別割当リソース情報の受信待ち状態の第１無線通信装置は、所定時間内に前記個別割当リソース情報を受信しなかったとき、前記第２無線通信装置に対してプリアンブルを再送し、当該プリアンブルに対する応答通知の受信待ち状態となることを特徴とする請求項１〜４のいずれか１項に記載の共通チャネルリソース割当方法。
【請求項６】
前記第２無線通信装置に対してプリアンブルを送信した第１無線通信装置は、所定時間内に当該プリアンブルに対する応答通知を受信しなかったとき、前記第２無線通信装置に対してプリアンブルを再送し、当該プリアンブルに対する応答通知の受信待ち状態となることを特徴とする請求項１〜４のいずれか１項に記載の共通チャネルリソース割当方法。
【請求項７】
前記第２無線通信装置に対してプリアンブルを送信した第１無線通信装置は、所定時間内に当該プリアンブルに対する応答通知ＡＣＫを受信したとき、前記所定割当リソース情報を使用して前記データ送信を行うことを特徴とする請求項５または６に記載の共通チャネルリソース割当方法。
【請求項８】
複数の無線通信装置が所定割当リソース情報に基づく共通チャネルを通してデータ送信を行うシステムにおける共通チャネルリソース割当装置であって、
前記複数の無線通信装置からのプリアンブルから無線通信装置を識別する識別手段と、
前記複数の無線通信装置の少なくとも１つへ個別に送信される個別割当リソース情報を含む少なくとも１つの割当リソース情報を送信し、前記複数の無線通信装置の各々が前記所定割当リソース情報および前記少なくとも１つの割当リソース情報のなかの１つの割当リソース情報を使用して前記データ送信を行うように前記共通チャネルのリソースを割り当て、前記個別割当リソース情報を受信しなかった移動局が再送したプリアンブルを受信する制御手段と、
を有することを特徴とする共通チャネルリソース割当装置。
【請求項９】
前記少なくとも１つの割当リソース情報は、前記複数の無線通信装置へ送信される共通割当リソース情報を含み、前記制御手段は前記複数の無線通信装置の少なくとも１つへ前記共通割当リソース情報の使用を指示することを特徴とする請求項８に記載の共通チャネルリソース割当装置。
【請求項１０】
前記個別割当リソース情報を１つの無線通信装置へ送信し、当該無線通信装置からのデータを完全受信できなかったならば、別の個別割当リソース情報を当該無線通信装置へ送信することを特徴とする請求項８または９に記載の共通チャネルリソース割当装置。
【請求項１１】
所定時間内で２以上の無線通信装置から同一のプリアンブルを受信すると、前記２以上の無線通信装置のうち少なくとも１つの無線通信装置に対して前記個別割当リソース情報を送信することを特徴とする請求項８または９に記載の共通チャネルリソース割当装置。
【請求項１２】
複数の移動局から所定割当リソース情報に基づく共通チャネルを通してデータを受信する基地局であって、
前記複数の移動局から受信するプリアンブルからそれぞれの移動局を識別する識別手段と、
前記複数の移動局の少なくとも１つへ個別に送信される個別割当リソース情報を含む少なくとも１つの割当リソース情報を送信し、前記複数の移動局の各々が前記所定割当リソース情報および前記少なくとも１つの割当リソース情報のなかの１つの割当リソース情報を使用して前記データ送信を行うように前記共通チャネルのリソースを割り当て、前記個別割当リソース情報を受信しなかった移動局が再送したプリアンブルを受信する制御手段と、
を有することを特徴とする基地局。
【請求項１３】
前記少なくとも１つの割当リソース情報は、前記複数の移動局へ送信される共通割当リソース情報を含み、前記制御手段は前記複数の移動局の少なくとも１つへ前記共通割当リソース情報の使用を指示することを特徴とする請求項１２に記載の基地局。
【請求項１４】
前記個別割当リソース情報を１つの移動局へ送信し、当該移動局からのデータを完全受信できなかったならば、別の個別割当リソース情報を当該移動局へ送信することを特徴とする請求項１２または１３に記載の基地局。
【請求項１５】
所定時間内で２以上の移動局から同一のプリアンブルを受信すると、前記２以上の移動局のうち少なくとも１つの移動局に対して前記個別割当リソース情報を送信することを特徴とする請求項１２または１３に記載の基地局。
【請求項１６】
所定割当リソース情報に基づく共通チャネルを通して基地局へデータを送信する移動局であって、
前記基地局から個別割当リソース情報を含む少なくとも１つの割当リソース情報を受信する割当リソース情報処理手段と、
送信すべきデータが発生すると前記基地局へ当該移動局のプリアンブルを送信し、当該プリアンブルに対する応答通知により前記個別割当リソース情報を受信しなかったとき、前記基地局に対してプリアンブルを再送する制御手段と、
を有することを特徴とする移動局。
【請求項１７】
前記少なくとも１つの割当リソース情報は他の移動局も受信する共通割当リソース情報を含み、前記送信データ制御手段は前記基地局から指示に従って前記共通割当リソース情報を使用することを特徴とする請求項１６に記載の移動局。
【請求項１８】
前記基地局が当該移動局からのデータを完全受信できなかったならば、前記割当リソース情報処理手段は前記基地局から別の個別割当リソース情報を受信することを特徴とする請求項１６または１７に記載の移動局。
【請求項１９】
前記個別割当リソース情報の受信待ち状態で所定時間内に前記個別割当リソース情報を受信しなかったとき、前記送信データ制御手段は前記基地局に対してプリアンブルを再送し、当該プリアンブルに対する応答通知の受信待ち状態となることを特徴とする請求項１６〜１８のいずれか１項に記載の移動局。
【請求項２０】
プリアンブルを送信して所定時間内に当該プリアンブルに対する応答通知を受信しなかったとき、前記送信データ制御手段は前記基地局に対してプリアンブルを再送し、当該プリアンブルに対する応答通知の受信待ち状態となることを特徴とする請求項１６〜１８のいずれか１項に記載の移動局。
【請求項２１】
プリアンブルを送信して所定時間内に当該プリアンブルに対する応答通知ＡＣＫを受信したとき、前記送信データ制御手段は前記所定割当リソース情報を使用して前記データ送信を行うことを特徴とする請求項１９または２０に記載の移動局。
【請求項２２】
複数の移動局から基地局へ所定割当リソース情報に基づく共通チャネルを通してデータを送信する移動通信システムにおいて、
前記基地局は、前記複数の移動局から受信するプリアンブルからそれぞれの移動局を識別する識別手段と、前記複数の移動局の少なくとも１つへ個別に送信される個別割当リソース情報を含む少なくとも１つの割当リソース情報を送信し、前記複数の移動局の各々が前記所定割当リソース情報および前記少なくとも１つの割当リソース情報のなかの１つの割当リソース情報を使用して前記データ送信を行うように前記共通チャネルのリソースを割り当て、前記個別割当リソース情報を受信しなかった移動局が再送したプリアンブルを受信する基地局制御手段と、を有し、
前記移動局は、前記基地局から個別割当リソース情報を含む少なくとも１つの割当リソース情報を受信する割当リソース情報処理手段と、送信すべきデータが発生すると前記基地局へ当該移動局のプリアンブルを送信し、当該プリアンブルに対する応答通知により前記個別割当リソース情報を受信しなかったとき、前記基地局に対してプリアンブルを再送する移動局制御手段と、を有する
ことを特徴とする移動通信システム。
【請求項２３】
複数の移動局から所定割当リソース情報に基づく共通チャネルを通してデータを受信する基地局における共通チャネルリソース割当機能をコンピュータで実現するプログラムであって、
コンピュータを、
前記複数の移動局から受信するプリアンブルからそれぞれの移動局を識別する識別手段、および
前記複数の移動局の少なくとも１つへ個別に送信される個別割当リソース情報を含む少なくとも１つの割当リソース情報を送信し、前記複数の移動局の各々が前記所定割当リソース情報および前記少なくとも１つの割当リソース情報のなかの１つの割当リソース情報を使用して前記データ送信を行うように前記共通チャネルのリソースを割り当て、前記個別割当リソース情報を受信しなかった移動局が再送したプリアンブルを受信する制御手段と、
として機能させるためのプログラム。
【請求項２４】
所定割当リソース情報に基づく共通チャネルを通して基地局へデータを送信する移動局における共通チャネル制御機能をコンピュータで実現するプログラムであって、
コンピュータを、
前記基地局から個別割当リソース情報を含む少なくとも１つの割当リソース情報を受信する割当リソース情報処理手段、および、
送信すべきデータが発生すると前記基地局へ当該移動局のプリアンブルを送信し、当該プリアンブルに対する応答通知により前記個別割当リソース情報を受信しなかったとき、前記基地局に対してプリアンブルを再送する制御手段、
として機能させるためのプログラム。
【手続補正２】
【補正対象書類名】明細書
【補正対象項目名】００２５
【補正方法】変更
【補正の内容】
【００２５】
本発明によるリソース割当方法は、複数の第１無線通信装置が所定割当リソース情報に基づく共通チャネルを通して第２無線通信装置へデータ送信を行うシステムの共通チャネルリソース割当方法であって、前記第２無線通信装置は、前記複数の第１無線通信装置の少なくとも１つへ個別に送信される個別割当リソース情報を含む少なくとも１つの割当リソース情報を送信することができ、前記第１無線通信装置は、前記個別割当リソース情報を受信しなかったとき、前記第２無線通信装置に対してプリアンブルを再送する、ことを特徴とする。